(57)【要約】【課題】衝突時や転がり時の騒音が小さく、錆が生じにくく、比重が大きく、変形しにくく、安価な加重材を提供する。【解決手段】対象物品の対象位置の重量を増加させるために、当該対象物品の内部に複数配置するための球形の加重材１０において、以下の構成が提供される。即ち、この加重材１０は、鋼球１１と、被覆部１２と、を備える。鋼球１１は、直径９ｍｍ〜２５ｍｍの球形の部材である。被覆部１２は、ポリ塩化ビニルで構成されており、鋼球１１の全体を１ｍｍ以上の厚みで被覆している。。【選択図】図１
0003209324.tif 000002
【実用新案登録請求の範囲】
【請求項１】
対象物品の対象位置の重量を増加させるために当該対象物品の内部に複数配置するための球形の加重材において、
直径９ｍｍ〜２５ｍｍの鋼球と、
ポリ塩化ビニルで構成されており、前記鋼球の全体を１ｍｍ以上３ｍｍ以下の厚みで被覆している被覆部と、
を備えることを特徴とする加重材。
【請求項２】
請求項１に記載の加重材であって、
前記鋼球は、遊技機で用いられていた遊技球をリサイクル品として用いていることを特徴とする加重材。
【請求項３】
請求項１又は２に記載の加重材であって、
前記被覆部は、内部の前記鋼球の表面が視認できない程度の不透明性を有していることを特徴とする加重材。
【請求項４】
請求項１から３までの何れか一項に記載の加重材であって、
前記被覆部は、前記加重材に水が掛かった場合であっても当該水が内部の前記鋼球に全く浸入しない程度に当該鋼球を隙間無く被覆していることを特徴とする加重材。
【請求項５】
請求項１から４までの何れか一項に記載の複数の加重材であって、
前記加重材は、振動に応じて質量体を移動させることで振動を抑制する制振装置の当該質量体として、前記制振装置の内部に配置されることを特徴とする加重材。
【請求項６】
請求項１から４までの何れか一項に記載の複数の加重材と、
複数の前記加重材を収容するための収容空間を有する収容部と、
を備え、
前記収容空間は、水平方向の端部に近づくに従って鉛直方向上側に近づく形状の底面を有しており、
前記収容部には、前記収容空間の一部のみを満たすように前記加重材が入れられており、
前記収容部が傾くことで、前記加重材が前記収容空間内を移動することを特徴とする制振装置。
【請求項７】
請求項１から４までの何れか一項に記載の複数の加重材であって、
コンクリート構成物の粗骨材として用いられることを特徴とする加重材。
【請求項８】
請求項１から４までの何れか一項に記載の複数の加重材が粗骨材として用いられたコンクリート構成物において、
鉛直方向の中央よりも下側に配置されている前記加重材の数が、鉛直方向の中央よりも上側に配置されている前記加重材の数よりも多いことを特徴とするコンクリート構成物。
【請求項９】
請求項１から４までの何れか一項に記載の複数の加重材であって、
棒状体が倒れないように棒状体を支持する土台の内部に配置されることを特徴とする加重材。
【請求項１０】
請求項１から４までの何れか一項に記載の複数の加重材であって、
飲料を飲むための飲料用容器の下端部、又は、飲料用容器に取付可能な取付具の内部に配置されることを特徴とする加重材。
【請求項１１】
請求項１から４までの何れか一項に記載の複数の加重材であって、
人形の下端部、又は、当該人形の台座の内部に配置されることを特徴とする加重材。
【請求項１２】
請求項１から４までの何れか一項に記載の加重材を複数備えることを特徴とする加重材集合体。
【請求項１３】
請求項１２に記載の加重材集合体であって、
複数の前記加重材を収容するための収容空間を有する収容部を備えることを特徴とする加重材集合体。
【請求項１４】
請求項１に記載の加重材であって、
前記鋼球は、遊技機で用いられていた遊技球をリサイクル品として用いており、
前記鋼球には、複数の微小な傷が形成されており、
前記被覆部は、軟質性のポリ塩化ビニルであり、内部の前記鋼球の表面が視認できない程度の不透明性を有しており、
前記被覆部は、前記加重材に水が掛かった場合であっても当該水が内部の前記鋼球に浸入しない程度に当該鋼球を被覆しており、
前記被覆部の厚みが全体にわたって同じであり、当該厚みが１ｍｍ以上１．５ｍｍ以下であることを特徴とする加重材。
【考案の詳細な説明】
【技術分野】
【０００１】
本考案は、主として、対象物品の対象位置の重量を増加させるために、当該対象物品の内部に配置する加重材に関する。
【背景技術】
【０００２】
特許文献１は、使用により凹凸や傷が生じたパチンコ球に対して、熱硬化型樹脂を吹き付けることで、凹凸や傷を補修する方法を開示する。また、特許文献１には、熱硬化型樹脂を用いることで、加熱後にパチンコ球の表面を固くかつ滑らかにすることができるため、凹凸や傷が補修されたパチンコ球は再び遊技店で使用可能であることが記載されている。
【０００３】
特許文献２は、内部に鉄粒を入れた内袋を備えるダンベルを開示する。特許文献２には、鉄粒が、ダンベルの重量を重くするための重りとして機能することが記載されている。
【０００４】
特許文献３は、振動を抑制するための制振装置を開示する。この制振装置は、曲面形状を有する複数の容器を備えており、それぞれの容器には、鉛や鉄からなる複数の粒状体が配置されている。振動に応じて粒状体が容器内を移動することで、振動を抑制することができる。
【先行技術文献】
【特許文献】
【０００５】
【特許文献１】特開平１０−２４１６９号公報
【特許文献２】特開２００５−３０５０７３号公報
【特許文献３】特開２０１０−１０１３９２号公報
【考案の概要】
【考案が解決しようとする課題】
【０００６】
しかし、特許文献１では、凹凸や傷が補修されたパチンコ球は再び遊技店で再使用することが想定されているため、別の用途は当然記載されていない。また、特許文献２及び３では、鉄粒や粒状体同士が衝突したり転がったりすることで比較的大きな騒音が発生する。また、鉄は錆び易いため、錆び易い環境であったり、手入れが困難な環境では、使用されていない。
【０００７】
本考案は以上の事情に鑑みてされたものであり、その主要な目的は、衝突時や転がり時の騒音が小さく、錆が生じにくく、比重が大きく、変形しにくく、安価な加重材を提供することにある。
【課題を解決するための手段及び効果】
【０００８】
本考案の解決しようとする課題は以上の如くであり、次にこの課題を解決するための手段とその効果を説明する。
【０００９】
本考案の観点によれば、対象物品の対象位置の重量を増加させるために当該対象物品の内部に複数配置するための球形の加重材において、以下の構成が提供される。即ち、この加重材は、鋼球と、被覆部と、を備える。前記鋼球は、直径９ｍｍ〜２５ｍｍの球形の部材である。前記被覆部は、ポリ塩化ビニルで構成されており、前記鋼球の全体を１ｍｍ以上３ｍｍ以下の厚みで被覆している。
【００１０】
これにより、鋼球が１ｍｍ以上の厚みのポリ塩化ビニルで被覆されているため、加重材の衝突時や転がり時の騒音が殆ど発生しない。従って、静音性に優れた加重材を提供できる。また、ポリ塩化ビニルで全体が覆われているため錆が生じにくい。また、水、土砂、コンクリート、等と比較して比重が大きいため、小さな体積で必要な重量を増加させることができる。また、被覆部の内部が鋼球であるため、強い力が掛かっても、鉛等と異なり変形しないため、様々な用途に使用できる。また、ステンレス等と比較して鋼は安価であるため、加重材を安価に製造できる。
【００１１】
前記の加重材においては、前記鋼球は、遊技機で用いられていた遊技球をリサイクル品として用いていることが好ましい。
【００１２】
これにより、鋼球を非常に安価で入手できるため、加重材の製造コストを大幅に低減できる。
【００１３】
前記の加重材においては、前記被覆部は、内部の前記鋼球の表面が視認できない程度の不透明性を有していることが好ましい。
【００１４】
これにより、鋼球に傷があったり、鋼球に若干の錆が発生していた場合であっても、加重材としての外観は変化しないため、見た目が悪化することを防止できる。
【００１５】
前記の加重材においては、前記被覆部は、前記加重材に水が掛かった場合であっても当該水が内部の前記鋼球に全く浸入しない程度に当該鋼球を隙間無く被覆していることが好ましい。
【００１６】
これにより、鋼球に錆が全く発生しないため、加重材の手入れが全く必要なくなる。また、水が掛かるような環境においても問題なく使用できる。
【００１７】
前記の加重材においては、前記加重材は、振動に応じて質量体を移動させることで振動を抑制する制振装置の当該質量体として、前記制振装置の内部に配置されることが好ましい。
【００１８】
本考案の観点によれば、以下の構成の制振装置が提供される。前記制振装置は、複数の前記の加重材と、複数の前記加重材を収容するための収容空間を有する収容部と、を備える。前記収容空間は、水平方向の端部に近づくに従って鉛直方向上側に近づく形状の底面を有している。前記収容部には、前記収容空間の一部のみを満たすように前記加重材が入れられている。前記収容部が傾くことで、前記加重材が前記収容空間内を移動する。
【００１９】
これにより、本考案の加重材は静音性に優れるため、加重材が収容空間内を移動する場合における騒音を低減できる。また、複数の加重材が収容空間内を移動するため、変形しにくい特徴を有効に活用できる。
【００２０】
前記の加重材においては、コンクリート構成物の粗骨材として用いられることが好ましい。
【００２１】
本考案の観点によれば、以下の構成のコンクリート構成物が提供される。コンクリート構成物は、鉛直方向の中央よりも下側に配置されている前記加重材の数が、鉛直方向の中央よりも上側に配置されている前記加重材の数よりも多い。
【００２２】
本考案の加重材は、一般的な骨材である砂や砕石と比較して比重が非常に大きいため、比重が大きいコンクリート構成物を製造できる。また、被覆されていない鋼球を骨材として利用する場合、鋼球に錆が生じてコンクリート構成物に割れが生じたりするが、本考案の加重材は被覆されているため、錆が生じにくいため、問題なく骨材として使用することができる。
【００２３】
前記の加重材においては、棒状体が倒れないように棒状体を支持する土台の内部に配置されることが好ましい。
【００２４】
前記の加重材においては、飲料を飲むための飲料用容器の下端部、又は、飲料用容器に取付可能な取付具の内部に配置されることが好ましい。
【００２５】
前記の加重材においては、人形の下端部、又は、当該人形の台座の内部に配置されることが好ましい。
【００２６】
以上により、棒状体、飲料用容器、又は人形を安定させることができる。
【図面の簡単な説明】
【００２７】
【図１】加重材の構成を示す断面図。
【図２】建物用制振装置と船舶用制振装置の構成を示す概略図。
【図３】加重材が粗骨材として使用されたコンクリート構成物の構成を示す概略図。
【図４】標識具、飲料用容器、及び人形の内部に加重材を配置する構成を示す概略図。
【考案を実施するための形態】
【００２８】
次に、図面を参照して本考案の実施形態を説明する。初めに、図１を参照して、加重材１０について説明する。
【００２９】
加重材１０は、対象物品の対象位置の重量を増加させるために、当該対象物品の内部に複数配置される部材である。図１に示すように、加重材１０は、鋼球１１と、被覆部１２と、を備える。
【００３０】
鋼球１１は、炭素を含んだ鉄合金である鋼で構成される球形の部材である。加重材１０の用途を考慮すると、鋼球１１は、直径が９ｍｍ〜２５ｍｍであることが好ましい。また、本実施形態では、鋼球１１は、遊技機で用いられる遊技球（パチンコ球）をリサイクル品として用いているため、材料コストが非常に安価である。従って、鋼球１１には、遊技機で用いられた際に衝突等により形成された微小な傷が存在していることがある。なお、鋼球１１は、加重材１０のために新たに製造された部材であっても良い。
【００３１】
被覆部１２は、ポリ塩化ビニル（軟質又は硬質）で構成されており、鋼球１１の全体を同じ厚みかつ１ｍｍ以上の厚みで被覆している。被覆部１２の厚みは、１ｍｍ以上であれば良いが、３ｍｍ以下であることが好ましく、１．５ｍｍ以下であることが更に好ましい。被覆部１２は、赤、青、黄、紫、ワインレッド等で着色されており、鋼球１１の表面が視認できない程度の不透明性を有している。被覆部１２は、加重材１０に水が掛かった場合であっても当該水が内部の前記鋼球１１に浸入しない程度に当該鋼球１１を隙間無く被覆している。なお、被覆部１２に被覆方法としては、一般的な方法を用いることができる。
【００３２】
以上の構成により、加重材１０は、（１）衝突時の騒音が非常に小さい、（２）水、土砂、コンクリート等と比較して比重が非常に大きい、（３）錆が生じにくい、（４）鉛等と比較して変形しにくい、（５）安価であるという特徴を有する。
【００３３】
次に、加重材１０の使用例について説明する。初めに、図２を参照して、加重材１０を制振装置に適用する例を説明する。図２は、建物用制振装置１と船舶用制振装置２の構成を示す概略図である。なお、図２から図４では、図面を分かり易くするために、実際とは異なる大きさで加重材１０を記載することがある。
【００３４】
図２（ａ）は、建物用制振装置１の構成を示す概略断面図である。建物用制振装置１は、地震が生じた際に建物の揺れを抑えるための装置である。建物用制振装置１は、例えば、建物の床下や土台等に配置された床構造物９１（梁等）に配置されている。建物用制振装置１は、収容部１ａ内に設けられた複数の加重材１０（加重材集合体）を備える。収容部１ａの内部には、加重材１０が配置される収容空間１ｂが形成されている。収容部１ａには、収容空間１ｂの一部のみを満たすように加重材１０が入れられており、収容体積の限度まで加重材１０が入れられている訳ではない。また、収容部１ａの底面は、水平方向の端部に近づくに従って鉛直方向上側に近づく形状（具体的には下に凸の球面形状）の底面を有している。この構成により、収容部１ａが傾くことで、加重材１０が収容空間１ｂ内を転がるようにして移動する。その結果、特許文献３に示されているように加重材１０の慣性力等により、床構造物９１の振動が抑制される。
【００３５】
図２（ｂ）は、船舶用制振装置２の構成を示す概略断面図である。船舶用制振装置２は、船舶９２の揺れを抑えるための装置である。船舶用制振装置２は、船舶９２の船底等に配置されている。船舶用制振装置２は、収容部２ａ内に設けられた複数の加重材１０（加重材集合体）を備える。収容部２ａは、船底の一部と、当該船底の上側を塞ぐ蓋部と、から構成される。なお、収容部２ａは、船底を利用せずに構成されていても良い。収容部２ａの内部には、加重材１０が配置される収容空間２ｂが形成されている。収容部２ａには、収容空間２ｂの一部のみを満たすように加重材１０が入れられており、収容体積の限度まで加重材１０が入れられている訳ではない。また、収容部２ａの底面は、水平方向（具体的には船幅方向）の端部に近づくに従って鉛直方向上側に近づく形状（具体的には傾斜して配置された略平板状）の底面を有している。この構成により、収容部２ａが傾くことで、加重材１０が収容空間２ｂ内を転がるようにして移動する。その結果、特許文献３に示されているように加重材１０の慣性力等により、船舶９２の振動が抑制される。
【００３６】
制振装置では、加重材１０が収容空間内を移動することが前提となっている。従って、加重材１０の移動時に発生する騒音（衝突音、転がり音等）を低減することは非常に重要となる。この点、加重材１０は十分な厚さのポリ塩化ビニルで被覆されているので、表面が金属又は硬化樹脂等の球部材と比較して衝突時及び転がり時の騒音が非常に小さい。従って、制振装置で発生する音を低減できる。
【００３７】
また、加重材１０が収容空間内を移動する場合、加重材１０同士の衝突が頻繁に起こることとなる。従って、加重材１０には容易に変形しない性質が求められる（変形した場合、球形がいびつになって転がり性能が低下する）。この点、加重材１０は十分な厚さのポリ塩化ビニルで被覆されているので、鉛等と比較して変形しにくい。また、金属又は硬化樹脂は硬度は高いが、欠け等が発生する可能性がある。この点、ポリ塩化ビニルはクッション性を有しているため、加重材１０の欠け等も発生しにくい。
【００３８】
なお、加重材１０は上述のように錆が生じにくいという特徴を有している。この特徴は、海水等に触れ易い環境にある船舶用制振装置２において、特に有効である。
【００３９】
なお、建物及び船舶以外（例えば建物内に配置される設備、家具等）の制振装置に加重材１０を用いることもできる。
【００４０】
次に、図３を参照して、加重材１０をコンクリート構成物に適用する例を説明する。図３は、加重材１０が粗骨材として使用されたコンクリート構成物３の構成を示す概略図である。
【００４１】
コンクリート構成物３とは、コンクリートを主成分として構成された物全般を示す。具体的には、コンクリートブロック、住居や塀等の建造物の一部を構成するコンクリート構造物等を示す。また、図３（ｂ）に示すように、水中コンクリート打設配管３ａを用いて水中で打設されたものであっても良い。一般的に、コンクリート構成物を作成する場合、水、セメント、及び骨材を混合する。骨材とは、コンクリート構成物の発熱や収縮を抑制するために入れられる。骨材には、粒径が比較的大きい粗骨材と、粒径が比較的小さ細骨材と、がある。本実施形態では、骨材として加重材１０を用いてコンクリート構成物３が作成される。使用方法としては、一般的な骨材と同じである。上述したように、鋼球１１は最低で直径９ｍｍ、被覆部１２は最低で１ｍｍであるため、加重材１０は、小さくとも直径が１１ｍｍ以上であることとなり、粗骨材に該当する。
【００４２】
図３（ａ）には、逆Ｔ字状のコンクリート構成物３が示されている。図３（ａ）では、コンクリート構成物３の底部を構成する部分において、複数の加重材１０（加重材集合体）が粗骨材として使用されており、底部以外の部分において、図略の砕石や砂等が骨材として用いられている。なお、コンクリート構成物３の底部以外の箇所にも加重材１０を粗骨材として用いても良いが、鉛直方向の中央よりも下側に配置されている加重材１０の数が、鉛直方向の中央よりも上側に配置されている加重材１０の数よりも多いことが好ましい。
【００４３】
上述のように、加重材１０は、一般的な骨材と比較して、比重が非常に大きい。従って、加重材１０は、骨材の本来の機能だけでなく、コンクリート構成物３を（局所的に）重くするという機能も有する。従って、図３（ａ）に示すように、鉛直方向の下側に多くの加重材１０を配置することで、コンクリート構成物３を安定させることができる。
【００４４】
なお、コンクリート構成物３の内部には水が含まれているため、被覆部１２を有していない鋼球１１を粗骨材として用いた場合、錆が発生してコンクリート構成物３に割れが発生する可能性がある。この点、加重材１０は、錆が生じにくいという特徴を有している。従って、粗骨材として用いた場合であっても錆が生じないため、割れは発生しない。
【００４５】
次に、図４を参照して、加重材１０を比較的小型の対象物品の内部に配置する例を説明する。図４は、標識具４、飲料用容器５、及び人形６の内部に加重材を配置する構成を示す概略図である。
【００４６】
図４（ａ）に示す標識具４は、棒状体４ａと、土台（収容部）４ｂと、を備える。棒状体４ａは棒状の部材であり、宣伝等の所定の情報が記載された旗が取り付けられている。棒状体４ａは、土台４ｂに着脱可能に構成されている。土台４ｂは、棒状体４ａが倒れないように棒状体４ａを支持する。土台４ｂの内部には、複数の加重材１０（加重材集合体）が配置された収容空間が形成されている。この構成により、強い風が吹いても標識具４（棒状体４ａ）が倒れないようにすることができる。
【００４７】
図４（ｂ）に示す飲料用容器５は、容器部５ａと、台座部（収容部）５ｂと、を備える。容器部５ａは、飲料を入れるための部分である。台座部５ｂは、容器部５ａの下側に配置されている。台座部５ｂの内部には、複数の加重材１０（加重材集合体）が配置された収容空間が形成されている。この構成により、飲料用容器５を安定させることができるので、例えば屋外で使用する際に強い風が吹いた場合であっても、飲料用容器５を倒れにくくすることができる。なお、本実施形態では、容器部５ａと台座部５ｂが分離不能であるが、一般的なコップに着脱可能に取り付けられる取付具の内部に複数の加重材１０が配置されていても良い。
【００４８】
図４（ｃ）に示す人形６は、脚部の内部に複数の加重材１０（加重材集合体）が配置されている。加重材１０は、所定の袋（収容部）に入れられた状態で人形６の内部に配置されていても良いし、人形６の内部に直接的に配置されていても良い。また、人形６が台座を含んで構成されている場合は、台座の内部に複数の加重材１０を配置しても良い。即ち、人形６の下端部に加重材１０が配置されていれば良い。この構成により、人形６を安定させる（倒れにくくする）ことができる。
【００４９】
以上に本考案の好適な実施の形態を説明したが、上記の構成は例えば以下のように変更することができる。
【００５０】
上記実施形態では、加重材１０の適用対象として様々な対象物品を説明したが、対象物品の形状は一例であり、複数の加重材１０が収容される構成であれば、適宜変更することができる。
【００５１】
上記実施形態では、加重材１０の様々な用途を説明したが、上記実施形態で説明した用途は一例であり、対象物品の対象位置の重量を増加させるためであれば、他の用途に加重材１０を使用することもできる。
【符号の説明】
【００５２】
１  建物用制振装置（制振装置）
２  船舶用制振装置（制振装置）
３  コンクリート構成物
４  標識具
５  飲料用容器
６  人形
１０  加重材
１１  鋼球
１２  被覆部
【図１】
0003209324.tif 000003
【図２】
0003209324.tif 000004
【図３】
0003209324.tif 000005
【図４】
0003209324.tif 000006